(57)【要約】  【課題】ダンボール箱の有無を外部から確認することができる書類回収ボックスを提供する。  【解決手段】書類回収ボックス１は、金属の薄板で作られた筐体であり、正面壁、左右側壁、裏面壁、天面壁、底面壁の６面が覆われている。正面壁には開閉扉２が設けられている。開閉扉２には、３個の書類投入口６，７，８と、３個の覗き孔１０，１１，１２が設けられている。書類回収ボックス１には、各パルプ製箱２５，２６，２７に対応する位置に覗き孔１０，１１，１２が設けられている。そのため内部に書類回収ボックス１が有るか否かを外から判断することができる。【選択図】  図１
2010070277.tif 000002
【特許請求の範囲】
【請求項１】
６面が不透明の壁で覆われ内部が空洞となった筐体であり、筐体の内部にはパルプ製箱を収納する箱設置部があり、前記６面の内の少なくとも一面に扉を有し、前記６面の内の少なくとも一面に書類を投入する書類投入口があり、前記書類投入口が設けられた面と同一の面であって、内部に収納されるパルプ製箱の側面に近接する位置に覗き孔が設けられていることを特徴とする書類回収ボックス。
【請求項２】
筐体の内部に複数のパルプ製箱を収納可能であり、書類投入口及び覗き孔が各パルプ製箱に対応して設けられていることを特徴とする請求項１に記載の書類回収ボックス。
【請求項３】
覗き孔の正面形状が書類投入口を指し示す模様を形成していることを特徴とする請求項１又は２に記載の書類回収ボックス。
【請求項４】
覗き孔は複数の孔群によって構成され、孔群の配置が凸形状であって当該凸形状が書類投入口を指し示していることを特徴とする請求項３に記載の書類回収ボックス。
【請求項５】
正面、４側面、底面及び天面を構成する部材を備えたパルプ製箱を、天面だけを開放した状態で請求項１乃至４のいずれかに記載の書類回収ボックスの中に収納し、書類回収ボックスの書類投入口から書類を投入して書類回収ボックス内のパルプ製箱内に書類を入れ、扉を開いて内部のパルプ製箱を取り出すと共にパルプ製箱の天面を封鎖し、パルプ製箱を溶解装置を備えたパルプ再生処理場に搬送し、パルプ製箱の天面を封鎖した状態のままでパルプ製箱を溶解装置に投入することを特徴とする書類回収方法。
【発明の詳細な説明】
【技術分野】
【０００１】
本発明は、書類を故紙として回収する際に使用するボックスに関するものである。また本発明は、書類回収ボックスを利用した書類回収方法に関するものである。
【背景技術】
【０００２】
古新聞や古雑誌等の使用済みの紙は、有用な資源であり、古くから再利用がされている。即ち、一般家庭で購入され、使用済みとなった紙は、廃品回収業者が故紙として買い上げ、製紙会社に移送される。製紙会社では、故紙を溶解釜に入れて溶解し、故紙からパルプを再生し、新聞の用紙や、トイレットペーパを生産する。
この様に、一般家庭から排出される故紙を回収し、再生利用するシステムは、我が国において、既に相当の昔から確立されている。
【０００３】
また近年、スーパーマーケットや市場等で排出される紙を回収し、これを再利用する方策が模索されている。例えば特許文献１に開示された様な回収ボックスを設置し、この回収ボックス内に包装紙等を投入して故紙を回収する。そして回収ボックスから故紙を取り出し、製紙会社に移送してパルプを再生する。
【特許文献１】特開２００８−１４６４２８号公報
【発明の開示】
【発明が解決しようとする課題】
【０００４】
ところで、紙は新聞や、雑誌の様に一般家庭で消費されるものもあるが、企業や官庁内で消費される紙も多い。実際には、紙の消費量は、一般家庭よりも企業や官庁内で消費される量の方が多いと言える。
そして企業や官庁内では、紙は、書類として消費される。そのため企業や官庁内で消費される紙には機密情報が記載されている場合が少なくない。
例えばメーカであるならば、紙には、営業、経理、技術等の機密情報が記載されている場合がある。また銀行であるならば、個人や顧客企業の預貯金高や売上等が記載されている。さらに官庁であれば、紙に国家的な機密情報が記載されている場合もある。
そのため企業や官庁においては、紙に書かれた機密情報が外部に漏れない様に、使用済みの紙をシュレッダーで細かく裁断し、その後に廃棄する。
【０００５】
しかしながら、シュレッダーで細かく裁断された紙は、再生利用が困難であるという問題がある。
即ち紙を再生する場合は、紙を溶解釜に投入して溶解し、紙の繊維を再利用する。従って再生原料となる故紙は、内部に再利用可能な長い紙繊維を備えていなければならない。
しかしながら、シュレッダーで細かく裁断された紙は、裁断の際に紙の繊維が細かく分断されてしまっており、紙繊維の長さが短い。そのためシュレッダーで細かく裁断された紙は、再生利用しても歩留りが悪く、経済的に割りが合わない。そのため企業や官庁内で書類として消費され、シュレッダーで細かく裁断された紙は、その多くが焼却処分されているのが現状である。
【０００６】
そこで本発明者は、企業等で書類として使用された紙を再利用するべく、企業等に書類回収ボックスを設置し、この回収ボックス内にダンボール箱を収納し、書類回収ボックス内のダンボール箱に書類を投入してもらい、後日、このダンボール箱を回収するシステムを考案した。
即ち書類回収ボックスは、不透明の壁で覆われた筐体であり、中は見えない。そのため書類回収ボックス内に投入された物が何であるか、また何が書かれているかを外部から知ることはできない。そのため設置場所における書類の秘密が保持される。
また書類が溜まると、企業内の責任者が書類回収ボックスを開き、内部のダンボール箱を取り出し、その場でダンボール箱を密封する。従って書類回収ボックスを開いた直後からの秘密状態が確保される。
その後に信用ある業者がダンボール箱を回収し、密封状態のままで処理施設に運ぶ。そのため、輸送中における秘密状態が確保される。
処理施設においては、ダンボール箱を密封状態のままで溶解釜に投入する。そのため処理施設における秘密状態についても確保される。
【０００７】
しかしながら上記したシステムは、回収ボックス内にダンボール箱を収納し、書類回収ボックス内のダンボール箱に書類を投入してもらうものであるが、回収ボックス内にダンボール箱を入れ忘れることがある。
上記した様に、回収ボックスは、中が見えては困るから、不透明の壁で覆われている。そのため回収ボックス内にダンボール箱を入れ忘れていても、外部からその事実を知ることはできず、企業内等の者は回収ボックス内にダンボール箱が無いことに気づかない。
そのため、企業内の従業者は、中にダンボール箱が無いにも係わらず、投入口から書類を投入してしまう。
そして所定の期間が経過し、責任者が書類回収ボックスを開くと、回収ボックス内から書類が雪崩の様にこぼれ落ち、大混乱となる。
【０００８】
そこで本発明は、上記した問題点に注目し、ダンボール箱の有無を外部から確認することができる書類回収ボックスを提供することを課題とする。
【課題を解決するための手段】
【０００９】
上記した課題を解決するための請求項１に記載の発明は、６面が不透明の壁で覆われ内部が空洞となった筐体であり、筐体の内部にはパルプ製箱を収納する箱設置部があり、前記６面の内の少なくとも一面に扉を有し、前記６面の内の少なくとも一面に書類を投入する書類投入口があり、前記書類投入口が設けられた面と同一の面であって、内部に収納されるパルプ製箱の側面に近接する位置に覗き孔が設けられていることを特徴とする書類回収ボックスである。
【００１０】
本発明の書類回収ボックスは、６面が不透明の壁で覆われ内部が空洞となった筐体であるから、外から内部を見ることはできない。そのため中に投入された書類を見られてしまうことはなく、書類の秘密性が確保される。
しかしその一方で、本発明の書類回収ボックスには、覗き孔が設けられているから中にパルプ製箱が有るか無いかを確認することはできる。そして本発明では、覗き孔はパルプ製箱の側面に近接する位置にあるから、覗き窓から覗き見えるのはパルプ製箱の側面だけであり、覗き孔を覗いても書類は見えない。そのため本発明の書類回収ボックスは、秘密が外部に漏れる懸念がなく、安全である。
【００１１】
請求項２に記載の発明は、筐体の内部に複数のパルプ製箱を収納可能であり、書類投入口及び覗き孔が各パルプ製箱に対応して設けられていることを特徴とする請求項１に記載の書類回収ボックスである。
【００１２】
本発明の書類回収ボックスでは、複数のパルプ製箱を収納可能であるから、書類の収容容量が大きい。また書類投入口及び覗き孔が各パルプ製箱に対応して設けられているので、各箱に書類を投入することが可能であり、各書類投入口の下にパルプ製箱が存在することを確認することができる。
【００１３】
請求項３に記載の発明は、覗き孔の正面形状が書類投入口を指し示す模様を形成していることを特徴とする請求項１又は２に記載の書類回収ボックスである。
【００１４】
本発明の書類回収ボックスでは、覗き孔の正面形状が書類投入口を指し示す模様を形成しているので、いずれが書類投入口であるかが明確である。
【００１５】
請求項４に記載の発明は、覗き孔は複数の孔群によって構成され、孔群の配置が凸形状であって当該凸形状が書類投入口を指し示していることを特徴とする請求項３に記載の書類回収ボックスである。
【００１６】
本発明では、覗き孔は複数の孔群によって構成されている。そのため書類投入口を指し示す模様を描き易い。
【００１７】
請求項５に記載の発明は、正面、４側面、底面及び天面を構成する部材を備えたパルプ製箱を、天面だけを開放した状態で請求項１乃至４のいずれかに記載の書類回収ボックスの中に収納し、書類回収ボックスの書類投入口から書類を投入して書類回収ボックス内のパルプ製箱内に書類を入れ、扉を開いて内部のパルプ製箱を取り出すと共にパルプ製箱の天面を封鎖し、パルプ製箱を溶解装置を備えたパルプ再生処理場に搬送し、パルプ製箱の天面を封鎖した状態のままでパルプ製箱を溶解装置に投入することを特徴とする書類回収方法である。
【００１８】
本発明の書類回収方法によると、書類の秘密が確保された状態で、回収、運搬、溶解がなされる。
【発明の効果】
【００１９】
本発明の書類回収ボックスは、筐体の機密性を維持しながらダンボール箱の有無を外部から確認することができる効果がある。そのため書類の秘密が暴露される危険がなく、且つ扉を開いた際に書類が飛散するといった混乱も生じない。
【発明を実施するための最良の形態】
【００２０】
以下さらに本発明の実施形態について説明する。
図１は、本発明の実施形態の書類回収ボックスの斜視図である。図２は、扉を開いた状態における図１の書類回収ボックスの正面図である。図３は、図１の書類回収ボックスの書類投入口近傍の断面図である。
【００２１】
図１に示す書類回収ボックス１は、金属の薄板で作られた筐体であり、正面壁、左右側壁、裏面壁、天面壁、底面壁の６面が覆われている。
そして正面壁には開閉扉２が設けられている。即ち書類回収ボックス１は、正面壁を除く５面が覆われた本体部３を有し、本体部３の開口に開閉扉２が取り付けられたものである。開閉扉２は、図示しない蝶番によって本体部３に取付けられており、本体部３に対して揺動し、本体部３の開口を開閉することができる。
開閉扉２には、鍵５が取り付けられており、本体部３に対して施錠状態とすることができる。
【００２２】
開閉扉２には、３個の書類投入口６，７，８と、３個の覗き孔１０，１１，１２が設けられている。
書類投入口６，７，８は、長方形のスリット状である。書類投入口６，７，８の内、書類投入口６，７は長さが短く、書類投入口８の長さは、前記した書類投入口６，７の長さの約２倍である。
３本の書類投入口６，７，８の内、短い書類投入口６，７は、開閉扉２の上部側にあって水平に延びている。
書類投入口６，７の長さは、Ａ４サイズの紙の短辺側が通過可能な長さである。書類投入口６，７は、直列状に並べて配置されている。
【００２３】
書類投入口６，７の裏面側には、図３の様に用紙ガイド１５が設けられている。用紙ガイド１５は、上辺部材１６と下辺部材１７によって構成されている。上辺部材１６は、書類投入口６の上辺側に設けられており、内部に向かうにつれて下向きに傾斜する板体である。上辺部材１６の先端部は、手を入れた際に怪我をしないように折り返し部１８が設けられている。
下辺部材１７は、書類投入口６の下辺側に設けられており、水平姿勢の板体である。上辺部材１６の先端部にも折り返し部２０が設けられている。
【００２４】
長さの長い書類投入口８は、開閉扉２の中央の高さの位置にあって水平に延びている。
書類投入口８の長さは、Ａ３サイズの紙の短辺側が通過可能な長さである。書類投入口８の裏面側にも、図３の様に用紙ガイド１５が設けられている。
【００２５】
本実施形態では、３個の覗き孔１０，１１，１２は、いずれも多数の長円状孔で構成される孔群である。
３個の覗き孔１０，１１，１２の内、覗き孔１０は書類投入口６の下部にあり、覗き孔１１は書類投入口７の下部にあり、覗き孔１２は書類投入口８の下部にある。
そして覗き孔１０，１１，１２は、いずれも全体形状が三角形をしており、全体として凸状の模様で形成している。そして凸状の模様は、その突端部が各書類投入口６，７，８の中央を指し示している。
【００２６】
より具体的には、覗き孔１０，１１は、いずれも６個の長円状の孔によって構成され、これがピラミッド状に配列されたものである。即ち最下段に３個、中段に２個、上段に１個設けられて全体形状が三角形模様を呈している。そして覗き孔１０，１１の中心軸線と、書類投入口６，７の中心軸とが一致し、覗き孔１０，１１が書類投入口６，７の位置を示している様な視覚効果がある。
【００２７】
また覗き孔１２は、１５個の長円状の孔によって構成され、これがピラミッド状に配列されたものであって、最下段に５個、二段目に４個、三段目に３個、四段目に２個、最上段に１個設けられて全体形状が三角形模様を呈している。すなわち上部側に段に行くほど孔の個数が減る様に孔が並べられており、全体形状が三角形模様を呈している。そして三角形模様の凸形状は、その突端部が書類投入口８の中央を指し示している。
【００２８】
次に、書類回収ボックス１の内部について説明する。
図４は、書類回収ボックス内に収納されるダンボール箱の斜視図である。
書類回収ボックス１の内部は、図２の様に内部が空洞であり、中央に棚２１が設けられている。本実施形態では、棚２１と床２４が箱設置部として機能する。
【００２９】
書類回収ボックス１の内部には、図４に示すようなパルプ製箱２５，２６，２７が３個収納される。３個のパルプ製箱２５，２６，２７の内、パルプ製箱２５，２６はＡ４サイズの紙を収容することができる大きさであり、パルプ製箱２７は、Ａ３サイズの紙を収容することができる大きさである。
パルプ製箱２５，２６，２７は、具体的にはダンボール箱であり、正面を含む４側面、底面及び天面を構成する部材を備えている。即ちパルプ製箱２５は、天面を構成する部材として４片のダンボール片３０，３１，３２，３３を備えている。
しかしながら、パルプ製箱２５，２６，２７は、天面だけを開放した状態で組み立てられ、この状態で、書類回収ボックス１の本体内に収納される。
図５は、書類回収ボックス内に収納されるダンボール箱を収納した状態における書類回収ボックスの本体部の正面図である。
即ち図５の様にパルプ製箱２５，２６が中央の棚２１に載置され、パルプ製箱２７は、書類回収ボックス１内の床面２４に載置される。
【００３０】
このときのパルプ製箱２５，２６，２７と、書類投入口６，７，８及び覗き孔１０，１１，１２の位置関係は、図５の通りである。
即ち各パルプ製箱２５，２６，２７の上部に書類投入口６，７，８があり、各パルプ製箱２５，２６，２７の正面側の側面３６に面した位置に覗き孔１０，１１，１２がある。
【００３１】
次に本実施形態の書類回収ボックスを利用した書類回収方法について説明する。
図６は、本発明の実施形態の書類回収方法の概念図である。
上記した書類回収ボックス１は、企業や官庁の事務所内に設置される。なお事務所内に設置される際には、開閉扉２２が施錠されている。
そして企業内の従業者が不要となった書類を書類投入口６，７，８から投入し、書類回収ボックス１内のパルプ製箱２５，２６，２７に書類を入れる。
なお本実施形態では、覗き孔１０，１１，１２が書類投入口６，７，８の位置を示している様な視覚効果があるので、企業内の従業者は書類を書類投入口６，７，８入れれば良いことを容易に理解することができる。
また本実施形態で採用する書類回収ボックス１は、各パルプ製箱２５，２６，２７に対応する位置に覗き孔１０，１１，１２が設けられている。そのため内部に書類回収ボックス１が有るか否かを外から判断することができる。
ここで書類回収ボックス１内は暗く、且つ覗き孔１０，１１，１２たる孔群を構成する孔は小さいから、書類回収ボックス１内に何が入っているかは判らないが、光の差し加減によって書類回収ボックス１内に物があるか否かは判別することができる。そのためもし、書類回収ボックス１内にパルプ製箱２５，２６，２７が無いならば、投入者は事前にその事実を知ることができる。
【００３２】
また書類回収ボックスは、金属板で作られており、不透明であるから、投入された書類を外から見ることはできない。
さらに書類投入口６，７，８はスリット状で細く、かつその奥側に用紙ガイド１５が設けられ、用紙ガイド１５の下辺部材１７が図３の様にパルプ製箱２５，２６，２７の開口の一部を覆うから、書類投入口６，７，８を覗いても投入された書類は見えない。
また前記した覗き孔１０，１１，１２は、各パルプ製箱２５，２６，２７の正面側の側面３６に面した位置にあるから、覗き孔１０，１１，１２から見えるのは各パルプ製箱２５，２６，２７の正面側の側面３６だけであり、書類は見えない。
そのため書類回収ボックス１内の機密は確保される。
【００３３】
書類回収ボックス１は、一定の期間毎に開閉扉２が開かれ、内部のパルプ製箱２５，２６，２７が取り出される。なお箱の取り出しは、責任ある立場の者が行うことが望ましい。
そしてパルプ製箱２５，２６，２７が密封される。即ちパルプ製箱２５，２６，２７は、天面を構成する部材として４片のダンボール片３０，３１，３２，３３を備えている。取り出されたパルプ製箱２５，２６，２７は、ダンボール片３０，３１，３２，３３によって天面が閉じられ、梱包用粘着テープ等で密閉される。
なお書類回収ボックス１内には新たなパルプ製箱２５，２６，２７が収納され、開閉扉２が施錠される。
【００３４】
その後に信用ある業者がパルプ製箱２５，２６，２７を回収し、密封状態のままで処理施設に運ぶ。そのため、輸送中における秘密状態が確保される。
処理施設においては、パルプ製箱２５，２６，２７を密封状態のままで溶解釜に投入し、パルプ製箱２５，２６，２７ごと内部の書類を溶解する。そのため処理施設における秘密状態についても確保され、書類からパルプが再生される。
【００３５】
次に本発明の他の実施形態について説明する。
図７、図８は、本発明の他の実施形態の書類回収ボックスの正面図である。図９は、本発明の他の実施形態の書類回収ボックスの覗き孔近傍の断面斜視図である。
前記した実施形態の書類回収ボックス１では、複数の孔によって孔群を構成し、この孔群によって覗き孔を構成したが、一つの孔によって覗き孔を構成してもよい。
図７は、一つの孔によって覗き孔を構成する例を示すものである。
【００３６】
また前記した実施形態の書類回収ボックス１では、複数の孔をピラミッド状に配列したが、もちろん他の形状に配列してもよい。図８は、矢頭状に孔を配列した例を示すものである。
【００３７】
また覗き孔から特定の模様が見える構造としてもよい。例えば図９に示すように、パルプ製箱２５，２６，２７の正面側の側面３６に特定の図柄や文字、色彩等を表示する。そして当該図柄の位置に相当する位置に覗き孔を配置する。
図９では、パルプ製箱２５，２６，２７の正面側の側面３６にサクランボの図柄を描き、当該図柄に相当する位置に丸孔形状の覗き孔３５を設けた例を示している。
図９に示す様に、特定の図柄や文字、色彩等が外部から見える様な構造にすると、書類回収ボックス内にパルプ製箱２５，２６，２７が有るか否かをより明確に知ることができる。
【００３８】
書類回収ボックス１の移動を容易にすることを目的として、書類回収ボックス１の底にキャスターを付けてもよい。逆に、書類回収ボックス１が移動できない様に処置を施してもよい。例えば床面に書類回収ボックス１を固定するために、書類回収ボックス１をアンカーで固定してもよい。また書類回収ボックス１をアンカーで固定するための孔を、書類回収ボックス１の底に設けてもよい。さらに書類回収ボックス１に鎖やワイヤーを取り付けて一定範囲を越える移動を防止してもよい。そのために、鎖やワイヤーを通す孔やフックを書類回収ボックス１に設けてもよい。
【図面の簡単な説明】
【００３９】
【図１】本発明の実施形態の書類回収ボックスの斜視図である。
【図２】扉を開いた状態における図１の書類回収ボックスの正面図である。
【図３】図１の書類回収ボックスの書類投入口近傍の断面図である。
【図４】書類回収ボックス内に収納されるダンボール箱の斜視図である。
【図５】書類回収ボックス内に収納されるダンボール箱を収納した状態における書類回収ボックスの本体部の正面図である。
【図６】本発明の実施形態の書類回収方法の概念図である。
【図７】本発明の他の実施形態の書類回収ボックスの正面図である。
【図８】本発明の他の実施形態の書類回収ボックスの正面図である。
【図９】本発明の他の実施形態の書類回収ボックスの覗き孔近傍の断面斜視図である。
【符号の説明】
【００４０】
１  書類回収ボックス
２  開閉扉
３  本体部
５  鍵
６，７，８  書類投入口
１０，１１，１２  覗き孔
１５  用紙ガイド
２１  棚（箱設置部）
２４  床（箱設置部）
２５，２６，２７  パルプ製箱
３６  正面側の側面
【図１】
2010070277.tif 000003
【図２】
2010070277.tif 000004
【図３】
2010070277.tif 000005
【図４】
2010070277.tif 000006
【図５】
2010070277.tif 000007
【図６】
2010070277.tif 000008
【図７】
2010070277.tif 000009
【図８】
2010070277.tif 000010
【図９】
2010070277.tif 000011